(57)【要約】  本発明の充電器は、二次電池に充電を行う電力供給部と、二次電池を識別する個体識別情報を取得する取得部と、二次電池への充電開始する際に取得した個体識別情報を、過去の充電終了する際に取得した個体識別情報と比較する比較部と、を備える。ここで、電力供給部は、その比較結果に基づいて、二次電池への充電を終了する。
2015060083.tif 000002
【特許請求の範囲】
【請求項１】
二次電池に充電を行う電力供給部と、
前記二次電池を識別する個体識別情報を取得する取得部と、
前記二次電池への充電開始する際に取得した個体識別情報を、過去の充電終了する際に取得した個体識別情報と比較する比較部と、を備え、
前記電力供給部は、
前記比較結果に基づいて、前記二次電池への充電を終了する充電器。
【請求項２】
前記比較部は、
前記二次電池への充電開始する際に取得した個体識別情報を、前回の充電終了する際に取得した個体識別情報と比較し、
前記電力供給部は、
両者が一致した場合に、前記二次電池への充電を終了する、請求項１に記載の充電器。
【請求項３】
前記比較部は、
前記二次電池への充電開始する際以前の所定時間範囲内に前回の充電が終了した場合に、前記二次電池への充電開始する際に取得した個体識別情報を、前回の充電終了する際に取得した個体識別情報と比較する、請求項２に記載の充電器。
【請求項４】
前記比較部は、
第１カウンタを有し、
前記二次電池への充電開始する際に取得した個体識別情報を、前回の充電終了する際に取得した個体識別情報と比較し、両者が一致した場合は、前記第１カウンタのカウント値をインクリメントし、両者が一致しない場合は、前記第１カウンタのカウント値をリセットし、
前記電力供給部は、
前記第１カウンタのカウント値が所定値に達した場合に、前記二次電池への充電を終了する、請求項１に記載の充電器。
【請求項５】
前記比較部は、
前記二次電池への充電開始する際に取得した個体識別情報を、直近の所定回数の充電終了する際に取得した個体識別情報と比較し、
前記電力供給部は、
前記個体識別情報のいずれかが一致した場合に、前記二次電池への充電を終了する、請求項１に記載の充電器。
【請求項６】
前記充電器は、
所定エリア内に他の充電器と共に設置されており、
前記比較部は、
前記二次電池への充電開始する際に取得した個体識別情報を、当該充電開始する際以前に前記他の充電器にて終了した直近の充電終了する際に取得した個体識別情報と比較し、
前記電力供給部は、
両者が一致した場合に、前記二次電池への充電を終了する、請求項２に記載の充電器。
【請求項７】
前記比較部は、
前記二次電池への充電開始する際以前の前記所定時間範囲内に前記他の充電器にて直近の充電が終了した場合に、前記二次電池への充電開始する際に取得した個体識別情報を、前記他の充電器にて直近の充電終了する際に取得した個体識別情報と比較する、請求項６に記載の充電器。
【請求項８】
前記充電器は、
所定エリア内に他の充電器と共に設置されており、
前記比較部は、
第２カウンタをさらに有し、
前記二次電池への充電開始する際に取得した個体識別情報を、当該充電開始する際以前に前記他の充電器にて終了した直近の充電終了する際に取得した個体識別情報と比較し、両者が一致した場合は、前記第２カウンタのカウント値をインクリメントし、両者が一致しない場合は、前記第２カウンタのカウント値をリセットし、
前記電力供給部は、
前記第２カウンタのカウント値が所定値に達した場合に、前記二次電池への充電を終了する、請求項４に記載の充電器。
【請求項９】
前記充電器は、
所定エリア内に他の充電器と共に設置されており、
前記比較部は、
前記二次電池への充電開始する際に取得した個体識別情報を、当該充電開始する際以前に前記他の充電器にて終了した直近の所定回数の充電終了する際に取得した個体識別情報と比較し、
前記電力供給部は、
前記個体識別情報のいずれかが一致した場合に、前記二次電池への充電を終了する、請求項５に記載の充電器。
【請求項１０】
前記個体識別情報は、
前記二次電池から送信されてくる情報である、請求項１〜９のいずれか１項に記載の充電器。
【請求項１１】
前記個体識別情報は、
前記二次電池の充電率を示す充電情報であり、
前記比較部は、
比較対象同士の前記充電率の差分が所定範囲内である場合、両者を一致と判定する、請求項１０に記載の充電器。
【請求項１２】
前記個体識別情報は、
前記二次電池を有する電動乗物のナンバープレート番号の情報であり、
前記比較部は、
前記電動乗物のナンバープレートから前記ナンバープレート番号を読み取る、請求項１〜３，５〜７，９のいずれか１項に記載の充電器。
【請求項１３】
前記二次電池への充電が開始された後、充電器の利用料を決済する決済部をさらに有する、請求項１〜１２のいずれか１項に記載の充電器。
【請求項１４】
前記電力供給部は、
前記二次電池への充電が開始されてから一定時間が経過するまでに、前記決済部にて前記決済が実施されなかった場合、前記二次電池への充電を停止する、請求項１３に記載の充電器。
【請求項１５】
充電器と、
サーバと、を有し、
前記充電器は、
二次電池に充電を行う電力供給部を備え、
前記サーバは、
前記二次電池を識別する個体識別情報を取得する取得部と、
前記二次電池への充電開始する際に取得した個体識別情報を、過去の充電終了する際に取得した個体識別情報と比較する比較部と、を備え、
前記電力供給部は、
前記比較結果に基づいて、前記二次電池への充電を終了する充電システム。
【請求項１６】
二次電池への充電開始する際に取得した、前記二次電池を識別する個体識別情報を、過去の充電終了する際に取得した個体識別情報と比較し、
前記比較結果に基づいて、前記二次電池への充電を終了する、充電方法。
【発明の詳細な説明】
【技術分野】
【０００１】
本発明は、二次電池に充電を行う技術に関する。
【背景技術】
【０００２】
近年、ＥＶ（Electric Vehicle：電気自動車）に搭載された二次電池に充電を行うＥＶ充電器に関する技術が幾つか提案されている。【０００３】
例えば、特許文献１には、ＥＶに供給している充電電流が所定の低電流値となりその充電状態が所定の最低持続時間続いたことを充電終了条件とし、この充電終了条件の成立に応じて充電を終了する技術が開示されている。
【先行技術文献】
【特許文献】
【０００４】
【特許文献１】特開２０１２−２３５６５３号公報
【発明の概要】
【発明が解決しようとする課題】
【０００５】
ＥＶ充電器は、ＥＶに搭載された二次電池に対しての充電時間が長くなってしまう。そのため、多くのＥＶ利用者がＥＶ充電器を利用するためには、ＥＶの利用者に対して使用制限を行う必要がある。【０００６】
しかし、特許文献１に記載された技術では、充電器を使用したＥＶ（ＥＶに搭載された二次電池）を特定する情報が充電器内にないため、同じ利用者が充電器を繰り返し使用してしまうという問題があった。【０００７】
そこで、本発明の目的は、上述した課題を解決し、同じ二次電池が充電器を繰り返し使用することを防ぐことができる技術を提供することにある。
【課題を解決するための手段】
【０００８】
本発明の充電器は、
二次電池に充電を行う電力供給部と、
前記二次電池を識別する個体識別情報を取得する取得部と、
前記二次電池への充電開始する際に取得した個体識別情報を、過去の充電終了する際に取得した個体識別情報と比較する比較部と、を備え
前記電力供給部は、前記比較結果に基づいて、前記二次電池への充電を終了する。【０００９】
本発明の充電システムは、
充電器と、
サーバと、を有し、
前記充電器は、
二次電池に充電を行う電力供給部を備え、
前記サーバは、
前記二次電池を識別する個体識別情報を取得する取得部と、
前記二次電池への充電開始する際に取得した個体識別情報を、過去の充電終了する際に取得した個体識別情報と比較する比較部と、を備え、
前記電力供給部は、
前記比較結果に基づいて、前記二次電池への充電を終了する。【００１０】
本発明の充電方法は、
二次電池への充電開始する際に取得した、前記二次電池を識別する個体識別情報を、過去の充電終了する際に取得した個体識別情報と比較し、
前記比較結果に基づいて、前記二次電池への充電を終了する。
【発明の効果】
【００１１】
本発明によれば、同じ二次電池が充電器を繰り返し使用することを防ぐことができるという効果が得られる。
【図面の簡単な説明】
【００１２】
【図１】本発明の第１および第３の実施形態の充電システムの構成を示すブロック図である。
【図２】本発明の第１の実施形態の充電器の動作を説明するフロー図である。
【図３】本発明の第２の実施形態の充電システムの構成を示すブロック図である。
【図４】本発明の第２の実施形態の充電器の動作を説明するフロー図である。
【図５】本発明の第３の実施形態の充電器の動作を説明するフロー図である。
【図６】本発明の第４および第６の実施形態の充電システムの構成を示すブロック図である。
【図７】本発明の第４の実施形態の充電器の動作を説明するフロー図である。
【図８】本発明の第５の実施形態の充電システムの構成を示すブロック図である。
【図９】本発明の第５の実施形態の充電器の動作を説明するフロー図である。
【図１０】本発明の第６の実施形態の充電器の動作を説明するフロー図である。
【図１１】本発明の充電器の構成の概要を示すブロック図である。
【図１２】本発明の充電システムの構成の概要を示すブロック図である。
【発明を実施するための形態】
【００１３】
以下に、本発明を実施するための形態について図面を参照して説明する。
（１）第１の実施形態
図１に、本実施形態の充電システムの構成を示す。
【００１４】
図１に示すように、本実施形態の充電システムは、ＥＶ１０と、ＥＶ充電器２０と、を有している。
【００１５】
なお、本実施形態においては、ＥＶ１０の充電方式が、ＣＨＡｄｅＭＯ規格の充電方式であるものとする。ＣＨＡｄｅＭＯ規格は、ＥＶ１０側からＥＶ充電器２０に対し、充電の開始・終了を制御する仕様になっている。
【００１６】
ＥＶ充電器２０は、表示部２１と、電力供給部２２と、記憶部２３と、取得部２４と、比較部２５と、を有している。
【００１７】
表示部２１は、各種の画面を表示する。
【００１８】
電力供給部２２は、ＥＶ１０の二次電池に充電を行う。
【００１９】
記憶部２３は、各種の情報を記憶する。
【００２０】
取得部２４は、ＥＶ１０の二次電池の充電情報を取得する。充電情報は、ＥＶ１０の二次電池を識別する個体識別情報の一例であり、その時点のＥＶ１０の二次電池の充電率とタイムスタンプ値を示す情報である。
【００２１】
比較部２５は、今回の充電開始時の充電情報が示す充電率を、前回の充電終了時の充電情報が示す充電率と比較する。
【００２２】
電力供給部２２は、比較部２５の比較結果に基づいて、ＥＶ１０の二次電池への充電を終了する。
【００２３】
なお、ＥＶ充電器２０は、利用料を課金して運用する場合、ＥＶ充電器２０の利用料を決済する決済部も設けられるが、この決済部は図面からは省略されている。
【００２４】
また、ＥＶ１０は、ＥＶ充電器２０により二次電池に充電された電力で駆動されるが、こうした駆動系統も図面からは省略されている。
【００２５】
以下、本実施形態のＥＶ充電器２０の動作について説明する。
【００２６】
図２に、本実施形態のＥＶ充電器２０の動作を説明するフロー図を示す。
【００２７】
なお、ＣＨＡｄｅＭＯ規格のＥＶ１０の充電を行う場合、まず、利用者がＥＶ充電器２０の充電コネクタをＥＶ１０に接続し、次に、ＥＶ充電器２０がＥＶ充電器２０の本体部分と充電コネクタとの間の充電ケーブルの絶縁試験を行い、その後、ＥＶ１０からの指示に応じて、ＥＶ充電器２０がＥＶ１０の充電を行う。また、図２において、最初のステップ（図２ではステップＡ１）は、絶縁試験が終了した後に行われるステップであるとする（以降の図４、図５、図７、図９、および図１０において同じ）。
【００２８】
図２に示すように、電力供給部２２は、ＥＶ１０からの充電開始の指示を受けると（ステップＡ１のＹｅｓ）、ＥＶ１０への充電を開始する（ステップＡ２）。
【００２９】
また、取得部２４は、ＥＶ１０から今回の充電開始時の充電情報を取得する（ステップＡ３）。なお、ＣＨＡｄｅＭＯ規格では、ＥＶ１０は、充電開始および充電終了の指示と共に、充電情報を送信する仕様になっている。
【００３０】
このとき、記憶部２３には、後述のように、前回の充電終了時にＥＶ１０から取得した充電情報が保存されている。
【００３１】
そこで、比較部２５は、今回の充電開始時の充電情報が示す充電率を、記憶部２３に保存された前回の充電終了時の充電情報が示す充電率と比較し（ステップＡ４）、両者が一致するか否かを判定する（ステップＡ５）。このとき、両者の差分が所定範囲内であれば、比較部２５は、両者が一致すると判定するものとする。
【００３２】
ステップＡ５において、比較部２５が、充電率が一致すると判定した場合（ステップＡ５のＹｅｓ）、電力供給部２２は、同じＥＶ１０がＥＶ充電器２０を繰り返し使用していると判断し、ＥＶ１０への充電を強制的に終了する（ステップＡ６）。
【００３３】
また、表示部２１は、警告画面を表示する（ステップＡ７）。この警告画面は、例えば、「繰り返し使用の可能性があるため、充電を強制終了します。」といったメッセージを表示した画面である。
【００３４】
また、取得部２４は、ＥＶ１０から今回の充電終了時の充電情報を取得し、取得した充電情報を記憶部２３に保存し（ステップＡ８）、その後、ステップＡ１の処理に戻り、以降の処理を繰り返す。
【００３５】
一方、ステップＡ５において、比較部２５が、充電率が一致しないと判定した場合（ステップＡ５のＮｏ）、以降、ＥＶ１０から充電終了の指示が来るまで待機する。そして、ＥＶ１０から充電終了の指示を受けると（ステップＡ９のＹｅｓ）、電力供給部２２は、ＥＶ１０への充電を終了する（ステップＡ１０）。
【００３６】
また、取得部２４は、ＥＶ１０から今回の充電終了時の充電情報を取得し、取得した充電情報を記憶部２３に保存し（ステップＡ１１）、その後、ステップＡ１の処理に戻り、以降の処理を繰り返す。
【００３７】
なお、ステップＡ８，Ａ１１においては、今回の充電終了時以前の充電情報は、消去しても良いし、そのまま保存しておいてもよい。
【００３８】
上述したように本実施形態においては、ＥＶ充電器２０は、今回の充電開始時の充電率を、前回の充電終了時の充電率と比較し、両者の差分が所定範囲内である場合、両者を一致と判定し、ＥＶ１０への充電を強制的に終了する。
【００３９】
すなわち、ＥＶ充電器２０は、今回の充電開始時の充電率が、前回の充電終了時の充電率と一致する場合、前回充電を終了した同じＥＶ１０が、今回、再度の充電を開始しようとしている可能性が高いため、同じＥＶ１０がＥＶ充電器２０を繰り返し使用していると判断して、ＥＶ１０への充電を強制的に終了する。
【００４０】
したがって、同じＥＶ１０がＥＶ充電器２０を繰り返し使用することを防ぐことができるという効果が得られる。
【００４１】
また、本実施形態においては、今回の充電開始時の充電率が、前回の充電終了時の充電率と完全一致する場合に限らず、所定範囲内である場合にも、両者を一致と判定し、ＥＶ１０への充電を強制的に終了する。
【００４２】
したがって、前回充電を終了した同じＥＶ１０が、ＥＶ充電器２０が設置されたエリアを走行して充電率を減らした上で、再度の充電を開始しようとした場合にも、こうした態様の繰り返し使用を防ぐことができるという効果が得られる。
【００４３】
なお、本実施形態においては、ＥＶ充電器２０は、今回の充電開始時の充電率を、前回の充電終了時の充電率と常に比較する構成としていた。
【００４４】
しかし、充電開始時に、前回の充電終了時から長時間（例えば、３０分〜１時間）経過している場合、別のＥＶ１０が充電を開始した可能性が高いと考えられる。
【００４５】
そこで、ＥＶ充電器２０は、充電開始時以前の所定時間範囲（例えば、３０分〜１時間）内に前回の充電が終了していた場合にのみ、ステップＡ４の比較処理を行い、その他の場合は、ステップＡ４の比較処理を省略して、ステップＡ９の処理に進むこととしても良い。
【００４６】
ところで、ＥＶ１０の二次電池とＥＶ充電器２０側との電気的な接続は、実際に電気が流れる段階になるまでは、充電可能であるか否かを判断することが難しい。そのため、利用料の決済を充電開始前に行うと、払い戻しが発生してしまうおそれがある。
【００４７】
そこで、ＥＶ充電器２０の電力供給部２２からＥＶ１０への充電が開始されたことを確認した後に、決済部（不図示）が利用料を決済するというシステムを用いることで、利用料の払い戻しが発生することを防止することができる。
【００４８】
また、上記のシステムは、充電開始を確認して一定時間経過するまでに利用料の決済を行わないと、ＥＶ充電器２０の電力供給部２２からＥＶ１０への充電を強制的に停止する。その結果、利用料の未払いが発生することについても防止することができる。
【００４９】
しかし、利用料の決済を行わない場合でも、充電開始を確認してから一定時間までの期間はＥＶ１０の二次電池に充電を行うことができる。充電開始を確認してから一定時間までに充電できる容量は全体としては多くはないが、利用料が決済されていない上記の一定時間における充電を繰り返し行うことで、充電量を増加させることもできる。
【００５０】
換言すると、ＥＶ充電器２０の利用料を決済せずに、充電開始を確認してから一定時間までの充電を繰り返すことで、不正にＥＶ充電器２０を利用されてしまう恐れがある。
【００５１】
なお、本実施形態におけるＥＶ充電器２０は、今回の充電開始時の充電率が、前回の充電終了時の充電率と一致する場合、前回充電を終了した同じＥＶ１０が、今回、再度の充電を開始しようとしている可能性が高いと判断する。そのため、同じＥＶ１０がＥＶ充電器２０を繰り返し使用していると判断して、ＥＶ１０への充電を強制的に終了することができる。
【００５２】
本発明を適用することで、上記のように、ＥＶ充電器２０の利用料を決済せずに、充電開始を確認してから一定時間までの充電を繰り返し、不正にＥＶ充電器２０を利用するＥＶ１０（利用者）を特定することができる。つまり、利用料を決済せずに一定時間の充電を繰り返す不正なＥＶ１０の利用者の行為を防止することができる。
（２）第２の実施形態
第１の実施形態においては、ＥＶ充電器２０は、今回の充電開始時の充電率が、前回の充電終了時の充電率と一致した場合、同じＥＶ１０がＥＶ充電器２０の繰り返し使用をしていると即座に判断していた。
【００５３】
しかし、異なるＥＶ１０同士の充電率が偶然に一致している可能性があり、その場合、別のＥＶ１０によるＥＶ充電器２０の使用を繰り返し使用と判断してしまうことになる。
【００５４】
そこで、本実施形態においては、ＥＶ充電器２０は、充電率の一致が所定回数（例えば、２〜３回）続いた場合に、同じＥＶ１０がＥＶ充電器２０の繰り返し使用をしていると判断する。
【００５５】
図３に、本実施形態の充電システムの構成を示す。
【００５６】
図３に示すように、本実施形態の充電システムは、図１の第１の実施形態の構成と比較して、比較部２５が、第１カウンタとなるカウンタ２５１を備える点が異なる。
【００５７】
以下、本実施形態のＥＶ充電器２０の動作について説明する。
【００５８】
図４に、本実施形態のＥＶ充電器２０の動作を説明するフロー図を示す。
【００５９】
図４に示すように、まず、図２の第１の実施形態のステップＡ１〜Ａ４と同様のステップＢ１〜Ｂ４の処理が行われる。
【００６０】
次に、比較部２５は、今回の充電開始時の充電情報が示す充電率と前回の充電終了時の充電情報が示す充電率が一致するか否かを判定する（ステップＢ５）。このとき、第１の実施形態のステップＡ５と同様に、両者の差分が所定範囲内であれば、比較部２５は、両者が一致すると判定するものとする。
【００６１】
ステップＢ５において、比較部２５は、充電率が一致すると判定した場合（ステップＢ５のＹｅｓ）、カウンタ２５１のカウント値を１つインクリメントし（ステップＢ６）、カウント値が所定値（例えば、２または３）に到達したか否かを判定する（ステップＢ７）。
【００６２】
ステップＢ７において、比較部２５が、カウント値が所定値に到達したと判定した場合（ステップＢ７のＹｅｓ）、電力供給部２２は、同じＥＶ１０がＥＶ充電器２０を繰り返し使用していると判断する。そして、以降は、第１の実施形態のステップＡ６〜Ａ８と同様のステップＢ８〜Ｂ１０の処理が行われる。また、ステップＢ７において、比較部２５が、カウント値が所定値に到達していないと判定した場合（ステップＢ７のＮｏ）、ステップＢ１２の処理に進む。
【００６３】
一方、ステップＢ５において、比較部２５は、充電率が一致しないと判定した場合（ステップＢ５のＮｏ）、カウンタ２５１のカウント値をリセットして０に戻し（ステップＢ１１）、ステップＢ１２の処理に進む。以降は、第１の実施形態のステップＡ９〜Ａ１１と同様のステップＢ１２〜Ｂ１４の処理が行われる。
【００６４】
上述したように本実施形態においては、ＥＶ充電器２０は、今回の充電開始時の充電率を、前回の充電終了時の充電率と比較し、両者が一致した場合は、カウンタ２５１のカウント値をインクリメントし、両者が一致しない場合は、カウント値をリセットし、カウント値が所定値に達した場合に、ＥＶ１０への充電を強制的に終了する。
【００６５】
すなわち、ＥＶ充電器２０は、充電率の一致が所定回数続いた場合に、同じＥＶ１０がＥＶ充電器２０の繰り返し使用をしていると判断して、ＥＶ１０への充電を強制的に終了する。
【００６６】
したがって、異なるＥＶ１０同士の充電率が偶然に一致していたために、別のＥＶ１０によるＥＶ充電器２０の使用を繰り返し使用と判断してしまうことを回避することができるという効果が得られる。
【００６７】
その他の効果は第１の実施形態と同様である。
（３）第３の実施形態
第１の実施形態においては、ＥＶ充電器２０は、今回の充電開始時の充電率が、前回の充電終了時の充電率と一致した場合、同じＥＶ１０がＥＶ充電器２０の繰り返し使用をしていると判断していた。
【００６８】
しかし、同じユーザが複数台のＥＶ１０に順次に充電を行う場合、今回の充電開始時の充電率を、前回の充電終了時の充電率と比較するだけでは、同じユーザが複数台のＥＶ１０でＥＶ充電器２０の繰り返し使用をしていることを検出することができない。
【００６９】
そこで、本実施形態においては、ＥＶ充電器２０は、今回の充電開始時の充電率を、直近の所定回数（例えば、２〜３回）の充電終了時の充電率とそれぞれ比較し、いずれかが一致した場合、同じユーザが複数台のＥＶ１０でＥＶ充電器２０の繰り返し使用をしていると判断する。
【００７０】
なお、本実施形態の構成自体は図１の第１の実施形態と同様である。
【００７１】
以下、本実施形態のＥＶ充電器２０の動作について説明する。
【００７２】
図５に、本実施形態のＥＶ充電器２０の動作を説明するフロー図を示す。
【００７３】
図５に示すように、まず、図２の第１の実施形態のステップＡ１〜Ａ３と同様のステップＣ１〜Ｃ３の処理が行われる。
【００７４】
このとき、記憶部２３には、第１の実施形態とは異なり、今回の充電開始時以前に自己のＥＶ充電器２０にて終了した充電のうちの直近の所定回数（例えば、２〜３回）の充電終了時の充電情報が保存されている。
【００７５】
そこで、比較部２５は、今回の充電開始時の充電情報が示す充電率を、記憶部２３に保存された直近の所定回数（例えば、２〜３回）の充電終了時の充電情報が示す充電率とそれぞれ比較し（ステップＣ４）、いずれかの充電率が一致するか否かを判定する（ステップＣ５）。このとき、第１の実施形態のステップＡ５と同様に、両者の差分が所定範囲内であれば、比較部２５は、両者が一致すると判定するものとする。
【００７６】
ステップＣ５において、比較部２５が、いずれかの充電率が一致すると判定した場合（ステップＣ５のＹｅｓ）、電力供給部２２は、同じユーザが複数台のＥＶ１０でＥＶ充電器２０の繰り返し使用をしていると判断する。そして、以降は、第１の実施形態のステップＡ６〜Ａ８と同様のステップＣ６〜Ｃ８の処理が行われる。
【００７７】
一方、ステップＣ５において、比較部２５が、いずれの充電率も一致しないと判定した場合（ステップＣ５のＮｏ）、以降は、第１の実施形態のステップＡ９〜Ａ１１と同様のステップＣ９〜Ｃ１１の処理が行われる。
【００７８】
なお、ステップＣ８，Ｃ１１においては、今回の充電終了時を含む直近の所定回数の充電終了時以前の充電情報は、消去しても良いし、そのまま保存しておいてもよい。
【００７９】
上述したように本実施形態においては、ＥＶ充電器２０は、今回の充電開始時の充電率を、直近の所定回数の充電終了時の充電率とそれぞれ比較し、いずれかの充電率が一致した場合に、ＥＶ１０への充電を強制的に終了する。
【００８０】
すなわち、ＥＶ充電器２０は、今回の充電開始時の充電率が、直近の所定回数の充電終了時の充電率のいずれかと一致した場合に、同じユーザが複数台のＥＶ１０でＥＶ充電器２０の繰り返し使用をしていると判断して、ＥＶ１０への充電を強制的に終了する。
【００８１】
したがって、同じユーザが複数台のＥＶ１０でＥＶ充電器２０を繰り返し使用していることを検出することができるという効果が得られる。
【００８２】
その他の効果は第１の実施形態と同様である。
（４）第４の実施形態
本実施形態は、所定エリア内に複数台のＥＶ充電器２０が設置されている充電システムに、第１の実施形態のＥＶ充電器２０を適用したものに相当する。
【００８３】
図６に、本実施形態の充電システムの構成を示す。
【００８４】
図６に示すように、本実施形態の充電システムは、図１の第１の実施形態の構成と比較して、所定エリア内に複数台のＥＶ充電器２０が設置されており、複数台のＥＶ充電器２０が相互に通信可能に構成されている点が異なる。
【００８５】
以下、本実施形態のＥＶ充電器２０の動作について説明する。
【００８６】
図７に、本実施形態のＥＶ充電器２０の動作を説明するフロー図を示す。なお、図７においては、説明の簡略化のために、所定エリア内には、自己のＥＶ充電器２０以外の他のＥＶ充電器２０が１台だけ設置されている（すなわち、所定エリア内に設置されているＥＶ充電器２０は２台のみ）ものとして説明する（以降の図９および図１０において同じ）。
【００８７】
図７に示すように、電力供給部２２は、ＥＶ１０からの充電開始の指示を受けると（ステップＤ１のＹｅｓ）、ＥＶ１０への充電を開始する（ステップＤ２）。
【００８８】
また、取得部２４は、ＥＶ１０から今回の充電開始時の充電情報を取得する（ステップＤ３）。
【００８９】
このとき、記憶部２３には、後述のように、自己のＥＶ充電器２０の前回の充電終了時にＥＶ１０から取得した充電情報が保存されると共に、今回の充電開始時以前に他のＥＶ充電器２０にて終了した充電のうちの直近の充電終了時に他のＥＶ充電器２０から取得した充電情報が保存されている。
【００９０】
そこで、比較部２５は、今回の充電開始時の充電情報が示す充電率を、記憶部２３に保存された自己のＥＶ充電器２０の前回の充電終了時の充電情報が示す充電率と比較し（ステップＤ４）、両者が一致するか否かを判定する（ステップＤ５）。このとき、両者の差分が所定範囲内であれば、比較部２５は、両者が一致すると判定するものとする。
【００９１】
ステップＤ５において、比較部２５は、充電率が一致しないと判定した場合（ステップＤ５のＮｏ）、今回の充電開始時の充電情報が示す充電率を、記憶部２３に保存された他のＥＶ充電器２０の直近の充電終了時の充電情報が示す充電率と比較し（ステップＤ６）、両者が一致するか否かを判定する（ステップＤ７）。このとき、上記と同様に、両者の差分が所定範囲内であれば、比較部２５は、両者が一致すると判定するものとする。
【００９２】
ステップＤ５またはＤ７のいずれかにおいて、比較部２５が、充電率が一致すると判定した場合（ステップＤ５のＹｅｓまたはステップＤ７のＹｅｓ）、電力供給部２２は、同じＥＶ１０が複数台のＥＶ充電器２０を繰り返し使用していると判断し、ＥＶ１０への充電を強制的に終了する（ステップＤ８）。
【００９３】
また、表示部２１は、警告画面を表示する（ステップＤ９）。この警告画面は、例えば、「繰り返し使用の可能性があるため、充電を強制終了します。」といったメッセージを表示した画面である。
【００９４】
また、取得部２４は、ＥＶ１０から今回の充電終了時の充電情報を取得し、取得した充電情報を記憶部２３に保存する（ステップＤ１０）。
【００９５】
また、取得部２４は、今回の充電終了時の充電情報を、自己のＥＶ充電器２０の識別子と共に、他のＥＶ充電器２０に送信する（ステップＤ１１）。この充電情報は、ＥＶ充電器２０の識別子と対応付けられて、他のＥＶ充電器２０の記憶部２３に保存される。
【００９６】
その後、ステップＤ１の処理に戻り、以降の処理を繰り返す。
【００９７】
一方、ステップＤ７において、比較部２５が、充電率が一致しないと判定した場合（ステップＤ７のＮｏ）、以降、ＥＶ１０から充電終了の指示が来るまで待機する。そして、ＥＶ１０から充電終了の指示を受けると（ステップＤ１２のＹｅｓ）、電力供給部２２は、ＥＶ１０への充電を終了する（ステップＤ１３）。
【００９８】
また、取得部２４は、ＥＶ１０から今回の充電終了時の充電情報を取得し、取得した充電情報を記憶部２３に保存する（ステップＤ１４）。
【００９９】
また、取得部２４は、今回の充電終了時の充電情報を、自己のＥＶ充電器２０の識別子と共に、他のＥＶ充電器２０に送信する（ステップＤ１５）。この充電情報は、ＥＶ充電器２０の識別子と対応付けられて、他のＥＶ充電器２０の記憶部２３に保存される。
【０１００】
その後、ステップＤ１の処理に戻り、以降の処理を繰り返す。
【０１０１】
なお、ステップＤ１０，Ｄ１４においては、自己のＥＶ充電器２０の今回の充電終了時以前の充電情報は、消去しても良いし、そのまま保存しておいてもよい。
【０１０２】
また、他のＥＶ充電器２０の直近の充電終了時以前の充電情報は、消去しても良いし、そのまま保存しておいてもよい。
【０１０３】
また、図７においては、自己のＥＶ充電器２０以外の他のＥＶ充電器２０が１台だけ設置されているものとして説明したが、他のＥＶ充電器２０が２台以上設置されている場合もある。この場合、他のＥＶ充電器２０のそれぞれについて、ステップＤ６，Ｄ７の処理を実行し、ステップＤ７において、他のＥＶ充電器２０のいずれかで充電率が一致した場合はステップＤ８に進み、その他の場合はステップＤ１２に進めば良い。
【０１０４】
上述したように本実施形態においては、所定エリア内に設置された複数台のＥＶ充電器２０の各々が充電情報を共有しているため、同じＥＶ１０が所定エリア内に設置された複数台のＥＶ充電器２０を繰り返し使用している場合にも、こうした繰り返し使用を検出することができるという効果が得られる。
【０１０５】
その他の効果は第１の実施形態と同様である。
【０１０６】
なお、本実施形態においては、ＥＶ充電器２０は、今回の充電開始時の充電率を、自己のＥＶ充電器２０の前回の充電終了時の充電率および他のＥＶ充電器２０の直近の充電終了時の充電率と常に比較する構成としていた。
【０１０７】
しかし、充電開始時に、前回の充電終了時から長時間（例えば、３０分〜１時間）経過している場合、別のＥＶ１０が充電を開始した可能性が高いと考えられる。
【０１０８】
そこで、ＥＶ充電器２０は、充電開始時以前の所定時間範囲（例えば、３０分〜１時間）内に自己のＥＶ充電器２０の前回の充電が終了していた場合にのみ、ステップＤ４の比較処理を行い、その他の場合は、ステップＤ４の比較処理を省略して、ステップＤ６の処理に進むこととしても良い。
【０１０９】
また、ＥＶ充電器２０は、充電開始時以前の所定時間範囲（例えば、３０分〜１時間）内に他のＥＶ充電器２０の直近の充電が終了していた場合にのみ、ステップＤ６の比較処理を行い、その他の場合は、ステップＤ６の比較処理を省略して、ステップＤ１２の処理に進むこととしても良い。
（５）第５の実施形態
本実施形態は、所定エリア内に複数台のＥＶ充電器２０が設置されている充電システムに、第２の実施形態のＥＶ充電器２０を適用したものに相当する。
【０１１０】
図８に、本実施形態の充電システムの構成を示す。
【０１１１】
図８に示すように、本実施形態の充電システムは、図６の第４の実施形態の構成と比較して、比較部２５が、第１カウンタとなるカウンタ２５１および第２カウンタとなるカウンタ２５２を備える点が異なる。
【０１１２】
以下、本実施形態のＥＶ充電器２０の動作について説明する。
【０１１３】
図９に、本実施形態のＥＶ充電器２０の動作を説明するフロー図を示す。
【０１１４】
図９に示すように、まず、図７の第４の実施形態のステップＤ１〜Ｄ４と同様のステップＥ１〜Ｅ４の処理が行われる。
【０１１５】
次に、比較部２５は、今回の充電開始時の充電情報が示す充電率と自己のＥＶ充電器２０の前回の充電終了時の充電情報が示す充電率が一致するか否かを判定する（ステップＥ５）。このとき、第４の実施形態のステップＤ５と同様に、両者の差分が所定範囲内であれば、比較部２５は、両者が一致すると判定するものとする。
【０１１６】
ステップＥ５において、比較部２５は、充電率が一致しないと判定した場合（ステップＥ５のＮｏ）、カウンタ２５１のカウント値をリセットして０に戻し（ステップＥ８）、ステップＥ９の処理に進む。
【０１１７】
一方、ステップＥ５において、比較部２５は、充電率が一致すると判定した場合（ステップＥ５のＹｅｓ）、カウンタ２５１のカウント値を１つインクリメントし（ステップＥ６）、カウント値が所定値（例えば、２または３）に到達したか否かを判定する（ステップＥ７）。
【０１１８】
ステップＥ７において、比較部２５は、カウント値が所定値に到達していないと判定した場合（ステップＥ７のＮｏ）、今回の充電開始時の充電情報が示す充電率を、記憶部２３に保存された他のＥＶ充電器２０の直近の充電終了時の充電情報が示す充電率と比較し（ステップＥ９）、両者が一致するか否かを判定する（ステップＥ１０）。このとき、上記と同様に、両者の差分が所定範囲内であれば、比較部２５は、両者が一致すると判定するものとする。
【０１１９】
ステップＥ１０において、比較部２５は、充電率が一致しないと判定した場合（ステップＥ１０のＮｏ）、カウンタ２５２のカウント値をリセットして０に戻し（ステップＥ１７）、ステップＥ１８の処理に進む。
【０１２０】
一方、ステップＥ１０において、比較部２５は、充電率が一致すると判定した場合（ステップＥ１０のＹｅｓ）、カウンタ２５２のカウント値を１つインクリメントし（ステップＥ１１）、カウント値が所定値（例えば、２または３）に到達したか否かを判定する（ステップＥ１２）。
【０１２１】
ステップＥ７またはＥ１２のいずれかにおいて、比較部２５が、カウント値が所定値に到達したと判定した場合（ステップＥ７のＹｅｓまたはステップＥ１２のＹｅｓ）、電力供給部２２は、同じＥＶ１０が複数台のＥＶ充電器２０を繰り返し使用していると判断する。そして、以降は、第４の実施形態のステップＤ８〜Ｄ１１と同様のステップＥ１３〜Ｅ１６の処理が行われる。また、ステップＥ１２において、比較部２５が、カウント値が所定値に到達していないと判定した場合（ステップＥ１２のＮｏ）、ステップＥ１８の処理に進む。以降は、第４の実施形態のステップＤ１２〜Ｄ１５と同様のステップＥ１８〜Ｅ２１の処理が行われる。
【０１２２】
なお、図９においては、自己のＥＶ充電器２０以外の他のＥＶ充電器２０が１台だけ設置されているものとして説明したが、他のＥＶ充電器２０が２台以上設置されている場合もある。この場合、他のＥＶ充電器２０のそれぞれについて、ステップＥ９〜Ｅ１２，Ｅ１７の処理を実行し、ステップＥ１２において、他のＥＶ充電器２０のいずれかで充電率が一致した場合はステップＥ１３に進み、その他の場合はステップＥ１８に進めば良い。
【０１２３】
上述したように本実施形態においては、所定エリア内に設置された複数台のＥＶ充電器２０の各々が充電情報を共有しているため、同じＥＶ１０が所定エリア内に設置された複数台のＥＶ充電器２０を繰り返し使用している場合にも、こうした繰り返し使用を検出することができるという効果が得られる。
【０１２４】
その他の効果は第２の実施形態と同様である。
（６）第６の実施形態
本実施形態は、所定エリア内に複数台のＥＶ充電器２０が設置されている充電システムに、第３の実施形態のＥＶ充電器２０を適用したものに相当する。
【０１２５】
なお、本実施形態の構成自体は図６の第４の実施形態と同様である。
【０１２６】
以下、本実施形態のＥＶ充電器２０の動作について説明する。
【０１２７】
図１０に、本実施形態のＥＶ充電器２０の動作を説明するフロー図を示す。
【０１２８】
図１０に示すように、まず、図７の第４の実施形態のステップＤ１〜Ｄ３と同様のステップＦ１〜Ｆ３の処理が行われる。
【０１２９】
このとき、記憶部２３には、第４の実施形態とは異なり、今回の充電開始時以前に自己のＥＶ充電器２０にて終了した充電のうちの直近の所定回数（例えば、２〜３回）の充電終了時の充電情報が保存されると共に、今回の充電開始時以前に他のＥＶ充電器２０にて終了した充電のうちの直近の所定回数（例えば、２〜３回）の充電終了時の充電情報が保存されている。
【０１３０】
そこで、比較部２５は、今回の充電開始時の充電情報が示す充電率を、記憶部２３に保存された自己のＥＶ充電器２０の直近の所定回数（例えば、２〜３回）の充電終了時の充電情報が示す充電率とそれぞれ比較し（ステップＦ４）、いずれかの充電率が一致するか否かを判定する（ステップＦ５）。このとき、第４の実施形態のステップＤ５と同様に、両者の差分が所定範囲内であれば、比較部２５は、両者が一致すると判定するものとする。
【０１３１】
ステップＦ５において、比較部２５は、いずれの充電率も一致しないと判定した場合（ステップＦ５のＮｏ）、今回の充電開始時の充電情報が示す充電率を、記憶部２３に保存された他のＥＶ充電器２０の直近の所定回数（例えば、２〜３回）の充電終了時の充電情報が示す充電率とそれぞれ比較し（ステップＦ６）、いずれかの充電率が一致するか否かを判定する（ステップＦ７）。このとき、上記と同様に、両者の差分が所定範囲内であれば、比較部２５は、両者が一致すると判定するものとする。
【０１３２】
ステップＦ５またはＦ７において、比較部２５が、いずれかの充電率が一致すると判定した場合（ステップＦ５のＹｅｓまたはステップＦ７のＹｅｓ）、電力供給部２２は、同じユーザが複数台のＥＶ１０で複数台のＥＶ充電器２０を繰り返し使用していると判断する。そして、以降は、第４の実施形態のステップＤ８〜Ｄ１１と同様のステップＦ８〜Ｆ１１の処理が行われる。
【０１３３】
一方、ステップＦ７において、比較部２５が、いずれの充電率も一致しないと判定した場合（ステップＦ７のＮｏ）、以降は、第４の実施形態のステップＤ１２〜Ｄ１５と同様のステップＦ１２〜Ｆ１５の処理が行われる。
【０１３４】
なお、ステップＦ１０，Ｆ１４においては、今回の充電終了時を含む直近の所定回数の充電終了時以前の充電情報は、消去しても良いし、そのまま保存しておいてもよい。
【０１３５】
また、他のＥＶ充電器２０の直近の所定回数の充電終了時以前の充電情報は、消去しても良いし、そのまま保存しておいてもよい。
【０１３６】
また、図１０においては、自己のＥＶ充電器２０以外の他のＥＶ充電器２０が１台だけ設置されているものとして説明したが、他のＥＶ充電器２０が２台以上設置されている場合もある。この場合、他のＥＶ充電器２０のそれぞれについて、ステップＦ６，Ｆ７の処理を実行し、ステップＦ７において、他のＥＶ充電器２０のいずれかで充電率が一致した場合はステップＦ８に進み、その他の場合はステップＦ１２に進めば良い。
【０１３７】
上述したように本実施形態においては、所定エリア内に設置された複数台のＥＶ充電器２０の各々が充電情報を共有しているため、同じユーザが複数台のＥＶ１０で所定エリア内に設置された複数台のＥＶ充電器２０を繰り返し使用している場合にも、こうした繰り返し使用を検出することができるという効果が得られる。
【０１３８】
その他の効果は第３の実施形態と同様である。
【０１３９】
以上、実施形態を参照して本発明を説明したが、本発明は上記実施形態に限定されるものではない。本発明の構成や詳細には、本発明の範囲内で当業者が理解し得る様々な変更をすることができる。
【０１４０】
第１〜第６の実施形態においては、ＥＶ１０の二次電池の個体識別情報として、ＥＶ１０から充電ケーブルを介して送信されてくる充電情報を例に挙げたが、本発明はこれに限定されない。例えば、ＥＶ１０の二次電池の個体識別情報は、ＥＶ１０から充電ケーブルを介して送信されてくる情報のうち、充電率の情報以外で、ＥＶ１０の二次電池を識別可能な情報でも良い。また、ＥＶ１０からＥＶ充電器２０への個体識別情報の送信方法は、充電ケーブルを介する方法以外の方法（例えば、無線通信）でも良い。
【０１４１】
また、第１、第３、第４、および第６の実施形態においては、ＥＶ１０の二次電池の個体識別情報は、ＥＶ１０のナンバープレート番号の情報でも良い。その場合、取得部２４は、不図示の読取部を用いて、ＥＶ１０のナンバープレートからナンバープレート番号を読み取れば良い。
【０１４２】
また、第１〜第３の実施形態においては、個体識別情報（充電情報）は、ＥＶ充電器２０が記憶していたが、本発明はこれに限定されず、ＥＶ充電器２０の外部に設けられたサーバ（例えば、インタネット上のサーバ）で記憶する構成であっても良い。
【０１４３】
また、第４〜第６の実施形態においては、個体識別情報（充電情報）は、複数台のＥＶ充電器２０の各々が記憶していたが、本発明はこれに限定されず、複数台のＥＶ充電器２０のうちの特定のＥＶ充電器２０で記憶する構成であっても良いし、ＥＶ充電器２０の外部に設けられたサーバ（例えば、インタネット上のサーバ）で記憶する構成であっても良い。
【０１４４】
また、第４〜第６の実施形態においては、複数台のＥＶ充電器２０が相互に直接通信していたが、本発明はこれに限定されず、ＥＶ充電器２０の外部に設けられたサーバ（例えば、インタネット上のサーバ）を介して相互に通信する構成であっても良い。
【０１４５】
また、第１〜第６の実施形態においては、ＥＶ充電器２０は、同じＥＶ１０がＥＶ充電器２０を繰り返し使用していると判断した場合、ユーザへの通知のために、表示部２１に警告画面を表示していたが、ＥＶ充電器２０を管理する、遠隔地にいる管理者に通知しても良い。なお、管理者への通知方法としては、管理者の端末へメールを送信する等の方法が考えられる。
【０１４６】
また、第１〜第６の実施形態においては、ＥＶ１０の充電方式がＣＨＡｄｅＭＯ規格の充電方式であるものとして説明したが、本発明はこれに限定されず、ＣＨＡｄｅＭＯ規格以外の充電方式にも適用可能である。つまり、ＣＨＡｄｅＭＯ規格では、ＥＶ１０からの指示にしたがってＥＶ充電器２０はＥＶ１０の二次電池への充電を開始するが、本発明はこれに限らず、ＥＶ充電器２０からの指示により、ＥＶ１０の二次電池への充電を開始してもよい。
【０１４７】
また、第１〜第６の実施形態においては、本発明の充電器を、ＥＶ１０の二次電池に充電を行うＥＶ充電器２０に適用しているが、本発明はこれに限定されない。本発明の充電器は、例えば、電動乗物（ＥＶ、電動バイク、電動自転車など）、ＰＣ（Personal Computer）、携帯機器などの二次電池に充電を行う充電器にも適用可能である。
【０１４８】
また、第１〜第６の実施形態においては、ＥＶ充電器２０の内部に取得部２４および比較部２５を設けていたが、取得部２４および比較部２５は、ＥＶ充電器２０の外部に設けられたサーバ（例えば、インタネット上のサーバ）に設けられていても良い。この場合、ＥＶ充電器２０の外部に設けられたサーバが、単一のＥＶ充電器２０（請求項１〜５）や複数のＥＶ充電器２０（請求項６〜９）と通信し、これらを制御すれば良い。
【０１４９】
また、第１の実施形態においては、ＥＶ充電器２０からＥＶ１０への充電を開始したことを確認した後に、利用料を決済すると共に、充電開始を確認して一定時間経過するまでに利用料の決済を行わないと、ＥＶ充電器２０からＥＶ１０への充電を強制的に停止するというシステムに適用することについて説明した。他の第２〜第６の実施形態も、このシステムに適用することが可能である。
【０１５０】
また、第５の実施形態においては、複数台のＥＶ充電器２０の各々が、第２カウンタとなるカウンタ２５２を備え、別々にカウントする例を説明した。しかし、この構成では、充電率が一致した回数を適切にカウントすることができない可能性がある。
【０１５１】
そこで、カウンタ２５２は、ＥＶ充電器２０の外部に設けられたサーバ（例えば、インタネット上のサーバ）に１つだけ設けることとしても良い。
【０１５２】
この構成の場合、各ＥＶ充電器２０でのカウント数を、サーバに設けられたカウンタでカウントすることで、特定のＥＶ１０が複数台のＥＶ充電器２０を繰り返し使用していることを特定できる。
【０１５３】
または、カウンタ２５２は、複数台のＥＶ充電器２０の各々に設けられているが、複数台のＥＶ充電器２０の各々がカウント数に関する情報を共有することとしても良い。
【０１５４】
なお、ＥＶ１０とカウント数とを対応付けるため、例えば、充電率（または、ナンバープレート、車体識別情報）に対応したカウント数を、それぞれのＥＶ充電器の間で共有する。
【０１５５】
例えば、３台のＥＶ充電器Ａ，Ｂ，Ｃがあって、ＥＶ充電器Ａ，Ｂ間の距離は５００ｍで、ＥＶ充電器Ｂ，Ｃ間の距離も５００ｍで、ＥＶ充電器Ａ，Ｃ間の距離が１ｋｍであるとする。５００ｍ圏内を所定エリアに設定するのであれば、ＥＶ充電器ＡとＢで１つの制限情報（カウンタ情報）でチェックを行い、ＥＶ充電器ＢとＣで１つの制限情報（カウンタ情報）でチェックを行う。この場合、ＥＶ充電器Ｂのように複数に属する可能性があるため、ＥＶ充電器の数とは離れた次元で制限チェックはする必要がある。なお、この場合、ＥＶ充電器ＡとＢとＣとで、カウンタ情報を共有しても良い。
【０１５６】
最後に、本発明の概要を説明する。
【０１５７】
図１１に、本発明の充電器２００の概要を示す。
【０１５８】
図１１に示すように、本発明の充電器２００は、電力供給部２１０と、取得部２２０と、比較部２３０と、を有している。
【０１５９】
電力供給部２１０は、二次電池への充電を行う。
【０１６０】
なお、電力供給部２１０が充電を行う二次電池は、電気自動車、電動バイク、電動自転車、ＰＣや携帯機器などの二次電池である。
【０１６１】
取得部２２０は、二次電池を識別する個体識別情報を取得する。
【０１６２】
比較部２３０は、二次電池への充電開始時に取得した個体識別情報を、過去の充電終了時に取得した個体識別情報と比較する。
【０１６３】
ここで、過去の充電終了時とは、前回の充電終了時、または、直近の所定回数の充電終了時を指している。
【０１６４】
電力供給部２１０は、比較部２３０の比較結果に基づいて、二次電池への充電を終了する。
【０１６５】
そのため、充電器２００は、比較部２３０の比較結果に基づいて、同じ二次電池が充電器２００を繰り返し使用していると判断した場合は、二次電池への充電を強制的に終了できる。
【０１６６】
よって、同じ二次電池が充電器２００を繰り返し使用することを防ぐことができるという効果が得られる。
【０１６７】
図１２に、本発明の充電システムの概要を示す。
【０１６８】
図１２に示すように、本発明の充電システムは、充電器２００と、サーバ３００と、を有している。
【０１６９】
充電器２００は、電力供給部２１０を有している。
【０１７０】
電力供給部２１０は、二次電池への充電を行う。
【０１７１】
なお、電力供給部２１０が充電を行う二次電池は、電気自動車、電動バイク、電動自転車、ＰＣや携帯機器などの二次電池である。
【０１７２】
サーバ３００は、取得部３１０と、比較部３２０と、を有している。
【０１７３】
取得部３１０は、二次電池を識別する個体識別情報を取得する。
【０１７４】
比較部３２０は、二次電池への充電開始時に取得した個体識別情報を、過去の充電終了時に取得した個体識別情報と比較する。
【０１７５】
ここで、過去の充電終了時とは、前回の充電終了時、または、直近の所定回数の充電終了時を指している。
【０１７６】
電力供給部２１０は、比較部３２０の比較結果に基づいて、二次電池への充電を終了する。
【０１７７】
そのため、充電器２００は、比較部３２０の比較結果に基づいて、同じ二次電池が充電器２００を繰り返し使用していると判断した場合は、二次電池への充電を強制的に終了できる。
【０１７８】
よって、同じ二次電池が充電器２００を繰り返し使用することを防ぐことができるという効果が得られる。
【０１７９】
本出願は、２０１３年１０月２５日に出願された日本出願特願２０１３−２２２１２２を基礎とする優先権を主張し、その開示の全てをここに取り込む。
【図１】
2015060083.tif 000003
【図２】
2015060083.tif 000004
【図３】
2015060083.tif 000005
【図４】
2015060083.tif 000006
【図５】
2015060083.tif 000007
【図６】
2015060083.tif 000008
【図７】
2015060083.tif 000009
【図８】
2015060083.tif 000010
【図９】
2015060083.tif 000011
【図１０】
2015060083.tif 000012
【図１１】
2015060083.tif 000013
【図１２】
2015060083.tif 000014
【国際調査報告】
2015060083.tif 000015
2015060083.tif 000016